(57)【要約】【課題】  端子配列が同じでリレー仕様が異なる電磁リレーをリレーボックスに装着したリレー装置において、電磁リレーの誤組付け対策を実施する際に、電磁リレーとリレーボックスを異なるタイミングで変更可能にする。【解決手段】  第１電磁リレーの特定位置のオス端子を、第２電磁リレーの特定位置のオス端子よりも幅が狭いものに変更する。その時点でメス端子の幅が変更されていなくても、そのメス端子の幅は第１電磁リレーの特定位置のオス端子の幅よりも広いため、第１電磁リレーは所定の位置に装着可能である。その後に、第１電磁リレーの特定位置のオス端子が挿入されるメス端子３１ａの幅Ｗ２を、第１電磁リレーの特定位置のオス端子の幅に対応したものに変更する。これにより、第２電磁リレーを第１電磁リレーの装着位置に組付けることができなくなり、第２電磁リレーの誤組付けを防止することができる。【選択図】        図５
2005093285.tif 000002
【特許請求の範囲】
【請求項１】
複数のオス端子の配列が同じでリレー仕様が異なる第１、第２電磁リレー（１、２）と、前記オス端子が挿入されるメス端子を有するリレーボックス（３）とを備えるリレー装置において、
前記複数のオス端子のうち特定の位置にある１つの特定オス端子（１１、１１ａ）の幅を前記第１電磁リレー（１）と第２電磁リレー（２）とで異ならせるとともに、前記特定オス端子が挿入されるメス端子（３１ａ、３５）の幅を前記特定オス端子の幅に対応させたことを特徴とするリレー装置。
【請求項２】
複数のオス端子を有しリレー仕様が異なる第１、第２電磁リレー（１、２）と、前記オス端子が挿入されるメス端子を有するリレーボックス（３）とを備え、前記第１、第２電磁リレーは、前記複数のオス端子の配列が同じであるとともに、同一位置に配置されたオス端子の幅が同じであるリレー装置の端子変更方法であって、
前記第１電磁リレー（１）における前記複数のオス端子のうち特定の位置にある１つの特定オス端子（１１ａ）を、前記第２電磁リレー（２）における前記複数のオス端子のうち特定の位置にある特定オス端子（１１）よりも幅が狭いものに変更し、
前記第１電磁リレー（１）の特定オス端子（１１ａ）の幅を変更した後に、前記第１電磁リレー（１）の特定オス端子（１１ａ）が挿入されるメス端子（３１ａ）の幅（Ｗ２）を、前記第１電磁リレー（１）の特定オス端子（１１ａ）の幅（Ｗ１）に対応したものに変更することを特徴とするリレー装置の端子変更方法。
【発明の詳細な説明】
【技術分野】
【０００１】
本発明は、電気回路の開閉を行う電磁リレーをリレーボックスに装着したリレー装置に関する。
【背景技術】
【０００２】
従来、複数の電磁リレーを備えるリレー装置において、複数の電磁リレーは、作動電圧や電流容量等のリレー仕様が異なるにも関わらず、外観構造や端子配列が同じである場合があり、電磁リレーの誤組付けが発生する恐れがあった。このような場合、誤組付けを防止するために、一方の電磁リレーの端子配列を変更するのが一般的である。
【０００３】
因みに、ヒューズの誤組付け防止のために、ヒューズの端子の方向および端子間ピッチを、許容電流値毎に設定することも知られている（例えば、特許文献１参照）。
【特許文献１】特開２０００−１１８５０号公報
【発明の開示】
【発明が解決しようとする課題】
【０００４】
しかしながら、上記したように、一方の電磁リレーの端子配列を変更すれば誤組付けを防止することができるものの、一方の電磁リレーは新設となり、また、メス端子を有するリレーボックスの変更度も大きくなるため、大幅なコストアップを招くとともに、対策完了までに多くの時間がかかってしまうという問題があった。
【０００５】
また、一方の電磁リレーとリレーボックスを同時に変更する必要があるが、実際にはそれらの同時変更は生産管理上困難である。そこで、電磁リレーとリレーボックスを異なるタイミングで変更することが望まれている。
【０００６】
本発明は上記点に鑑みて、端子配列が同じでリレー仕様が異なる電磁リレーをリレーボックスに装着したリレー装置において、電磁リレーの誤組付け対策を実施する際に、電磁リレーとリレーボックスを異なるタイミングで変更可能にすることを目的とする。
【課題を解決するための手段】
【０００７】
ところで、端子配列が同じでリレー仕様が異なる電磁リレーをリレーボックスに装着したリレー装置において、例えば一方の電磁リレーを他方の電磁リレーの装着位置に誤組付けしても機能上何ら問題ない場合は、その誤組付けは許容することができる。本発明は、一方の電磁リレーの誤組付けは許容し、他方の電磁リレーの誤組付けは防止するという考え方に基づいてなされたものである。
【０００８】
上記目的を達成するため、請求項１に記載の発明では、複数のオス端子の配列が同じでリレー仕様が異なる第１、第２電磁リレー（１、２）と、オス端子が挿入されるメス端子を有するリレーボックス（３）とを備えるリレー装置において、複数のオス端子のうち特定の位置にある１つの特定オス端子（１１、１１ａ）の幅を第１電磁リレー（１）と第２電磁リレー（２）とで異ならせるとともに、特定オス端子が挿入されるメス端子（３１ａ、３５）の幅を特定オス端子の幅に対応させたことを特徴とする。
【０００９】
これによると、特定オス端子の幅を第１電磁リレーと第２電磁リレーとで異ならせるために、例えば第１電磁リレーにおける特定オス端子の幅を以前よりも狭いものに変更した場合、その時点で特定オス端子が挿入されるメス端子の幅が変更されていなくても、そのメス端子の幅は第１電磁リレーにおける特定オス端子の幅よりも広いため、第１電磁リレーは所定の位置に装着可能である。換言すると、第１電磁リレーとリレーボックスのうち第１電磁リレーのみを変更した状態で、リレー装置の生産を継続することができる。
【００１０】
そして、第１電磁リレーの変更後に、特定オス端子の幅に対応したメス端子に変更すると、それ以降は、特定オス端子の幅が広い第２電磁リレーを、第１電磁リレーの装着位置に組付けることができなくなり、第２電磁リレーの誤組付けを防止することができる。
【００１１】
したがって、電磁リレーの誤組付け対策を実施する際に、電磁リレーとリレーボックスを異なるタイミングで変更することができる。
【００１２】
また、一方の電磁リレーの端子配列を変更する場合よりも小変更で対応することができるため、コストアップを少なくすることができる。
【００１３】
請求項２に記載の発明では、複数のオス端子を有しリレー仕様が異なる第１、第２電磁リレー（１、２）と、オス端子が挿入されるメス端子を有するリレーボックス（３）とを備え、第１、第２電磁リレーは、複数のオス端子の配列が同じであるとともに、同一位置に配置されたオス端子の幅が同じであるリレー装置の端子変更方法であって、第１電磁リレー（１）における複数のオス端子のうち特定の位置にある１つの特定オス端子（１１ａ）を、第２電磁リレー（２）における複数のオス端子のうち特定の位置にある特定オス端子（１１）よりも幅が狭いものに変更し、第１電磁リレー（１）の特定オス端子（１１ａ）の幅を変更した後に、第１電磁リレー（１）の特定オス端子（１１ａ）が挿入されるメス端子（３１ａ）の幅（Ｗ２）を、第１電磁リレー（１）の特定オス端子（１１ａ）の幅（Ｗ１）に対応したものに変更することを特徴とする。
【００１４】
これによると、第１電磁リレーにおける特定オス端子を幅の狭いものに変更するため、メス端子が変更されていなくても第１電磁リレーは所定の位置に装着可能であり、リレー装置の生産を継続することができる。そして、その後にメス端子を変更すると第２電磁リレーを第１電磁リレーの装着位置に組付けることができなくなり、第２電磁リレーの誤組付けを防止することができる。したがって、電磁リレーの誤組付け対策を実施する際に、電磁リレーとリレーボックスを異なるタイミングで変更することができる。
【００１５】
また、一方の電磁リレーの端子配列を変更する場合よりも小変更で対応することができるため、コストアップを少なくすることができる。
【００１６】
なお、上記各手段の括弧内の符号は、後述する実施形態に記載の具体的手段との対応関係を示すものである。
【発明を実施するための最良の形態】
【００１７】
（第１実施形態）
本発明の第１実施形態に係るリレー装置について、図１〜図５に基づいて説明する。図１はリレー装置の全体構成を示す斜視図である。図２は誤組付け対策前の電磁リレーを示すもので、図２（ａ）はその正面図、図２（ｂ）はその側面図、図２（ｃ）はその下面図である。図３は誤組付け対策前のリレーボックスを示す平面図、図４は誤組付け対策後の電磁リレーを示す下面図、図５は誤組付け対策後のリレーボックスを示す平面図である。
【００１８】
このリレー装置は、ヘッドランプやワイパモータ等の車両用電気機器の制御に適用することができる。
【００１９】
図１において、リレー装置は、電気機器への通電を断続する第１、第２電磁リレー１、２と、これらの電磁リレー１、２が装着されるリレーボックス３とを備えている。
【００２０】
図２に示すように、誤組付け対策前の第１電磁リレー１は、４つのオス端子１１〜１４を備えている。第１オス端子１１はリレー本体１５内の固定接点（図示せず）に電気的に接続され、第２オス端子１２はリレー本体１５内の可動接点（図示せず）に電気的に接続され、第３、第４オス端子１３、１４はリレー本体１５内のコイル（図示せず）に電気的に接続されている。そして、第１オス端子１１と第２オス端子１２は同一サイズの端子が用いられている。また、第３オス端子１３と第４オス端子１４は、第１、第２オス端子１１、１２よりも幅が狭く、且つ同一サイズの端子が用いられている。
【００２１】
第２電磁リレー２は、誤組付け対策前においては、外観構造、オス端子の配列、オス端子のサイズが、第１電磁リレー１と同じである。ただし、第１電磁リレー１と第２電磁リレー２は、作動電圧や電流容量等のリレー仕様が異なっている。
【００２２】
図３に示すように、誤組付け対策前のリレーボックス３は、第１電磁リレー１の装着予定部Ａに第１〜第４メス端子３１〜３４が配置され、また、第２電磁リレー２の装着予定部Ｂに第５〜第８メス端子３５〜３８が配置されている。
【００２３】
そして、第１、第２、第５、第６メス端子３１、３２、３５、３６は、同一サイズの端子が用いられている。また、第３、第４、第７、第８メス端子３３、３４、３７、３８は、第１メス端子３１等よりも幅が狭く、且つ同一サイズの端子が用いられている。
【００２４】
ところで、上記のように、第１、第２電磁リレー１、２の端子配列や端子サイズが同じである場合、誤組付けの恐れがある。そこで、本実施形態では、誤組付け防止のために、以下の対策を実施している。
【００２５】
まず、図４に示すように、第１電磁リレー１における４つのオス端子のうち第１オス端子１１ａのみを、誤組付け対策前の第１オス端子１１よりも幅Ｗ１が狭いものに変更している。なお、第１電磁リレー１における他の３つのオス端子１２〜１４のサイズや、４つのオス端子１１ａ、１２〜１４の配列は、誤組付け対策前の第１電磁リレー１と同じである。
【００２６】
一方、図５に示すように、リレーボックス３における第１〜第８メス端子のうち、第１電磁リレー１の第１オス端子１１ａが挿入される第１メス端子３１ａのみを、第１オス端子１１ａに対応した幅Ｗ２のものに変更している。
【００２７】
このように、第１電磁リレー１の第１オス端子１１ａを幅Ｗ１が狭いものに変更した場合、第１オス端子１１ａが挿入される第１メス端子３１（図３参照）の幅が変更されていなくても、そのメス端子３１の幅は第１オス端子１１ａの幅Ｗ１よりも広いため、誤組付け対策後の第１電磁リレー１は所定の位置Ａ（図３参照）に装着可能である。換言すると、第１電磁リレー１の第１オス端子１１ａとリレーボックス３の第１メス端子３１ａのうち、第１電磁リレー１の第１オス端子１１ａのみを変更した状態で、リレー装置の生産を継続することができる。
【００２８】
そして、第１電磁リレー１の第１オス端子１１ａの変更後に、リレーボックス３の第１メス端子３１ａを変更すると、それ以降は、第２電磁リレー２を第１電磁リレー１の装着予定部Ａに組付けることができなくなり、第２電磁リレー２の誤組付けを防止することができる。
【００２９】
したがって、電磁リレー１、２の誤組付け対策を実施する際に、電磁リレー１とリレーボックス３を異なるタイミングで変更することができる。
【００３０】
しかも、第２電磁リレー２の変更は一切不要である。
【００３１】
なお、本実施形態では、第１電磁リレー１の第１オス端子１１ａを誤組付け対策前の第１オス端子１１よりも幅が狭いものに変更したが、第１オス端子１１ａを誤組付け対策前の第１オス端子１１よりも幅が広いものに変更してもよい。この場合、リレーボックス３の第１メス端子３１ａを幅が広いものに変更した後に、第１電磁リレー１の第１オス端子１１ａを変更することにより、電磁リレー１、２の誤組付け対策を実施する際に、電磁リレー１とリレーボックス３を異なるタイミングで変更することができる。
【００３２】
また、本実施形態では、第１電磁リレー１の第１オス端子１１ａおよびリレーボックス３の第１メス端子３１ａを変更したが、他の端子を変更してもよい。
【００３３】
（第２実施形態）
本発明の第２実施形態について説明する。図６は第２実施形態に係るリレー装置の電磁リレーを示す下面図、図７は第２実施形態に係るリレー装置のリレーボックスを示す平面図である。本実施形態は、図１〜図３に示すような第１、第２電磁リレー１、２の端子配列や端子サイズが同じであるリレー装置について、第１電磁リレー１および第２電磁リレー２のいずれの誤組付けも防止可能にしたものである。
【００３４】
図６に示すように、本実施形態では、誤組付け防止のために、以下の対策を実施している。まず、第１電磁リレー１における４つのオス端子のうち第１オス端子１１ａを、誤組付け対策前の第１オス端子１１よりも幅Ｗ１が狭いものに変更するとともに、第１電磁リレー１における４つのオス端子のうち第４オス端子１４ａを、誤組付け対策前の第４オス端子１４よりも幅Ｗ３が広いものに変更している。
【００３５】
一方、図７に示すように、リレーボックス３における第１〜第８メス端子のうち、第１電磁リレー１の第１オス端子１１ａが挿入される第１メス端子３１ａを、第１オス端子１１ａに対応した幅Ｗ２のものに変更するとともに、第１電磁リレー１の第４オス端子１４ａが挿入される第４メス端子３４ａを、第４オス端子１４ａに対応した幅Ｗ４のものに変更している。
【００３６】
上記構成によると、第１電磁リレー１における第４オス端子１４ａは、リレーボックス３の第８メス端子３８よりも幅Ｗ３が広いため、第１電磁リレー１を第２電磁リレー２の装着予定部Ｂに組付けることができなくなり、第１電磁リレー１の誤組付けを防止することができる。また、リレーボックス３の第１メス端子３１ａは幅Ｗ２が狭いため、第２電磁リレー２を第１電磁リレー１の装着予定部Ａに組付けることができなくなり、第２電磁リレー２の誤組付けを防止することができる。
【図面の簡単な説明】
【００３７】
【図１】リレー装置の全体構成を示す斜視図である。
【図２】（ａ）は誤組付け対策前の電磁リレーの正面図、（ｂ）はその側面図、（ｃ）はその下面図である。
【図３】誤組付け対策前のリレーボックスを示す平面図である。
【図４】本発明の第１実施形態に係るリレー装置の電磁リレーを示す下面図である。
【図５】本発明の第１実施形態に係るリレー装置のリレーボックスを示す平面図である。
【図６】本発明の第２実施形態に係るリレー装置の電磁リレーを示す下面図である。
【図７】本発明の第２実施形態に係るリレー装置のリレーボックスを示す平面図である。
【符号の説明】
【００３８】
１、２…電磁リレー、３…リレーボックス、１１ａ、１１〜１４…オス端子、３１ａ、３４ａ、３１〜３８…メス端子。
【図１】
2005093285.tif 000003
【図２】
2005093285.tif 000004
【図３】
2005093285.tif 000005
【図４】
2005093285.tif 000006
【図５】
2005093285.tif 000007
【図６】
2005093285.tif 000008
【図７】
2005093285.tif 000009